(57)【特許請求の範囲】
【請求項１】
ドアハンドル若しくは把手の背部に錠前を解錠可能な操作機構を設け、該操作機構を前記ドアハンドル若しくは把手の握持の際に操作可能にし、前記ドアハンドル若しくは把手に前記錠前を解錠可能なキ−レス錠を埋設し、該キ−レス錠は複数の記憶情報を入力可能な暗証ボタンを備え、該暗証ボタンをドアハンドル若しくは把手の背部に配置し、記憶情報を設定した暗証ボタンに所定の記憶情報を入力して解錠可能にした施錠装置において、前記キ−レス錠に連係する可動板をドアハンドル若しくは把手の内部に移動可能に設け、該可動板を錠前を作動する角芯棒に連係し、該可動板の作動を介して前記錠前を解錠可能にしたことを特徴とする施錠装置。
【請求項２】
前記可動板をキ−レス錠の解錠後に移動可能にした請求項１記載の施錠装置。
【請求項３】
前記可動板をキ−レス錠の施錠時は移動不可能にした請求項１記載の施錠装置。
【請求項４】
前記可動板に操作レバ−を後方に突設し、該操作レバ−を前記暗証ボタンの直下に配置した請求項１記載の施錠装置。
【請求項５】
前記操作レバ−に手指を掛け止め可能にした請求項４記載の施錠装置。
【請求項６】
ドアハンドル若しくは把手の背部にドアに取付け可能な取付脚を突設し、前記可動板の下方に位置する取付脚の内部に前記角芯棒を回動可能に配置し、該角芯棒に偏心ピンを突設した回動カムを固定し、前記偏心ピンに前記可動板を係合可能に連係した請求項１記載の施錠装置。
【発明の詳細な説明】
【技術分野】
【０００１】
本発明は、例えばドアや抽斗、ファイリングキャビネット等のドアハンドルないし把手の実施に好適で、暗証ボタンやバイオメトリクスセンサをドアハンドルや把手の裏面側に配置して看者の視野から消し去り、解錠操作や解錠意思を察知されず、しかも解錠時における暗証番号の予測や考察を排除して、暗証番号の盗用や不正解錠を確実かつ強力に阻止するとともに、賊による攻撃対象を隠蔽して防御能力を向上し得るようにした、施錠装置に関する。
【背景技術】
【０００２】
近時、住宅や会社、店舗、駅舎、病院等のドア錠として、鍵の使用をなくしたキ−レスタイプのボタン錠が普及してきている。
そのなかでも、機構的な手法で施解錠作動を実行する、いわゆるメカロック錠は、機械的な強度が大きく、また電気的な手法で施解錠作動を実行する、電気錠ないし電子錠に比べ、配線の面倒や停電若しくは電池切れ等の電気的なトラブルや作動不安の惧れがなく、確実かつ安定した作動を長期に亘って得られる利点がある。
【０００３】
出願人は、このキ−レスタイプのメカロック錠を種々提案している。
例えば、前記メカロック錠はドアの外面に取り付けられ、そのケ−スフレ−ムの前面に特定の暗証情報を記憶した複数の暗証ボタンを押圧可能に突設し、その暗証情報相当分、暗証ボタンを押圧操作して連係する本締錠を解錠し、解錠後にドアハンドルを回動操作して開扉するようにしていた（例えば、特許文献１および２参照）。
【０００４】
しかし、従来のメカロック錠は、暗証ボタンをケ−スフレ−ムの前面に配置しているため、解錠操作を第三者に察知され、解錠時の手指の挙動によって暗証番号を予測ないし察知されて、暗証番号を盗用され不正解錠される惧れがあった。
このため、前記暗証番号を定期的に変更し、暗証番号の盗用や不正解錠を防止するようにしていたが、解錠操作を第三者に察知される実態は変わらないため、暗証番号の盗用や不正解錠の不安を払拭し得なかった。
【０００５】
そこで、出願人は、ボタン錠とシリンダ錠とを装備し、それらの解錠を条件に解錠可能にして、防御能力を向上したメカロック錠の複合錠を提案している（例えば、特許文献３参照）。
しかし、前記複合錠は、従来のボタン錠と同様に暗証ボタンをケ−スフレ−ムの前面に配置しているため、解錠操作を第三者に察知され、解錠時の手指の挙動によって暗証番号を予測ないし察知されて、暗証番号を盗用され不正解錠される惧れがあり、予てよりその改善が望まれていた。
【０００６】
ところで、前記キ−レスタイプの電気錠の解錠条件として、電気錠に連係する制御機に磁気カ−ドやＩＣカ−ドを挿入し、またはバイオメトリクスセンサによって、個人固有の指紋や虹彩、掌の血管パタ−ン等の認証を条件に解錠可能にしたものがある（例えば、特許文献４参照）。
しかし、前記解錠には制御機や、認証装置ないし個人認証の登録を要して設備費が嵩むとともに、解錠の所作や挙動が人目に晒され、解錠意思を容易に察知され、しかも制御機やバイオメトリクスセンサが容易に賊の攻撃対象になる等の問題があった。
【０００７】
【特許文献１】特公昭６２−５４９５１号公報
【特許文献２】特許２８０３８０４号公報
【特許文献３】特許３８９１９６５号公報
【特許文献４】特開２００７−２６２６９５号公報
【発明の開示】
【発明が解決しようとする課題】
【０００８】
本発明はこのような問題を解決し、例えばドアや抽斗、ファイリングキャビネット等のドアハンドルないし把手の実施に好適で、暗証ボタンやバイオメトリクスセンサをドアハンドルや把手の裏面側に配置して看者の視野から消し去り、解錠操作や解錠意思を察知されず、しかも解錠時における暗証番号の予測や考察を排除して、暗証番号の盗用や不正解錠を確実かつ強力に阻止するとともに、賊による攻撃対象を隠蔽して防御能力を向上し得るようにした、施錠装置を提供することを目的とする。
【課題を解決するための手段】
【０００９】
このため、請求項１の発明は、ドアハンドル若しくは把手の背部に錠前を解錠可能な操作機構を設け、該操作機構を前記ドアハンドル若しくは把手の握持の際に操作可能にし、前記ドアハンドル若しくは把手に前記錠前を解錠可能なキ−レス錠を埋設し、該キ−レス錠は複数の記憶情報を入力可能な暗証ボタンを備え、該暗証ボタンをドアハンドル若しくは把手の背部に配置し、記憶情報を設定した暗証ボタンに所定の記憶情報を入力して解錠可能にした施錠装置において、前記キ−レス錠に連係する可動板をドアハンドル若しくは把手の内部に移動可能に設け、該可動板を錠前を作動する角芯棒に連係し、該可動板の作動を介して前記錠前を解錠可能にし、キ−レス錠の解錠による錠前の具体的な解錠機構を実現可能にしている。
【００１０】
請求項２の発明は、前記可動板をキ−レス錠の解錠後に移動可能にし、キ−レス錠の解錠を条件に可動板を介して錠前を解錠可能にし、錠前の防御能力を向上するようにしている。
【００１１】
請求項３の発明は、前記可動板をキ−レス錠の施錠時は移動不可能にし、キ−レス錠の施錠時は錠前の施錠を維持させて、錠前の防御能力を向上するようにしている。
請求項４の発明は、前記可動板に操作レバ−を後方に突設し、該操作レバ−を前記暗証ボタンの直下に配置し、暗証ボタンの暗証入力操作後、操作レバ−を容易かつ速やかに操作し得るようにしている。
請求項５の発明は、前記操作レバ−に手指を掛け止め可能にし、暗証ボタンの暗証入力操作後、操作レバ−を簡便に操作し得るようにしている。
【００１２】
請求項６の発明は、ドアハンドル若しくは把手の背部にドアに取付け可能な取付脚を突設し、前記可動板の下方に位置する取付脚の内部に前記角芯棒を回動可能に配置し、該角芯棒に偏心ピンを突設した回動カムを固定し、前記偏心ピンに前記可動板を係合可能に連係し、前記可動板の下方に位置する取付脚の内部に角芯棒と回動カムを設け、前記取付脚のスペ−スを有効利用するとともに、暗証ボタンの暗証入力操作後、操作レバ−の操作変位を、可動板、偏心ピン、回動カムを介して角芯棒に伝達するようにしている。
【発明の効果】
【００１４】
このため、請求項１の発明は、キ−レス錠に連係する可動板をドアハンドル若しくは把手の内部に移動可能に設け、該可動板を錠前を作動する角芯棒に連係し、該可動板の作動を介して前記錠前を解錠可能にしたから、キ−レス錠の解錠による錠前の具体的な解錠機構を実現することができる。
【００１５】
請求項２の発明は、前記可動板をキ−レス錠の解錠後に移動可能にしたから、キ−レス錠の解錠を条件に可動板を介して錠前を解錠可能にし、錠前の防御能力を向上することができる。
【００１６】
請求項３の発明は、前記可動板をキ−レス錠の施錠時は移動不可能にしたから、キ−レス錠の施錠時は錠前の施錠を維持させて、錠前の防御能力を向上することができる。
請求項４の発明は、前記可動板に操作レバ−を後方に突設し、該操作レバ−を前記暗証ボタンの直下に配置したから、暗証ボタンの暗証入力操作後、操作レバ−を容易かつ速やかに操作することができる。
請求項５の発明は、前記操作レバ−に手指を掛け止め可能にしたから、暗証ボタンの暗証入力操作後、操作レバ−を簡便に操作することができる。
【００１７】
請求項６の発明は、ドアハンドル若しくは把手の背部にドアに取付け可能な取付脚を突設し、前記可動板の下方に位置する取付脚の内部に前記角芯棒を回動可能に配置し、該角芯棒に偏心ピンを突設した回動カムを固定し、前記偏心ピンに前記可動板を係合可能に連係したから、前記可動板の下方に位置する取付脚の内部に角芯棒と回動カムを設け、前記取付脚のスペ−スを有効利用することができるとともに、暗証ボタンの暗証入力操作後、操作レバ−の操作変位を、可動板、偏心ピン、回動カムを介して角芯棒に伝達することができる。
【発明を実施するための最良の形態】
【００１９】
以下、本発明をドアハンドルの握持部にキ−レスタイプのメカロック錠を埋設した図示の実施形態について説明すると、図１乃至図１７において１は、吊元側の一側端部を枠体（図示略）に回動可能に取り付けたドアで、その他側端部に錠前２が埋設され、該錠前２のデットボルト３が戸当り側の枠体４に埋設したトロヨケ（図示略）に係合可能に取り付けられている。
図中、５はデットボルト３の直下に出没可能に取り付けたラッチトリガ−で、枠体４の端面に係合可能に取り付けられ、その出没作動にデットボルト３の作動を連係させている
【００２０】
前記ドア１の他側端部にドアハンドル６が取り付けられ、該ドアハンドル６はアルミ合金ダイカストまたは亜鉛合金ダイカストによって略コ字形状に成形され、その上下位置にドア１に取り付け可能な取付脚７，８が突設されている。
前記取付脚７，８にパイプネジ９，１０が突設され、該パイプネジ９，１０がドア１の内部に挿入され、該パイプネジ９，１０にドア１の内側から連結ビス１１，１２がねじ込まれて緊締されている。
図中、１３は錠前２内のラッチカム（図示略）の角孔を貫通する角芯棒で、その一端に後述するベベルギヤと回動カムが固定され、その他端にレバ−ハンドル１４の軸部がビス止めされている。    
１０４は前記軸部の端部に配置したハンドル取付座である。
【００２１】
前記ドアハンドル６の握持部６ａの内部に縦長の空室１５が設けられ、該室１５の外側に化粧カバ−１６が装着されて内部を閉塞している。
前記空室１５の上部にキ−レス錠であるメカロック錠のボタン錠１７が収容され、その操作機構を構成するリセットボタン１８と４個の暗証ボタン１９〜２２とが、握持部６ａの裏面から突出して配置されている。
【００２２】
前記ボタン錠１７は図１０のように縦長薄厚の略箱形に形成され、これは略箱形の錠ケース２３と縦長矩形のカバ−２４を組み付けて構成され、錠ケース２３の中高位置に前記リセットボタン１８と４個の暗証ボタン１９〜２２が上下方向に近接して配置され、常時は外側へ突出可能に付勢されている。
前記リセットボタン１８と暗証ボタン１９〜２２は同形の横長の略角錐台形に形成され、その押圧面１９ａ〜２２ａを凹状の湾曲面に形成され、その押圧面１９ａ〜２２ａに操作時の手指を接触可能にしている。
【００２３】
前記リセットボタン１８は、暗証ボタン１９〜２２の解錠操作前または解錠操作時の誤操作入力時に押圧操作されて、暗証ボタン１９〜２２の事前の入力をキャンセル可能にされ、また暗証ボタン１９〜２２は解錠時に押圧操作を介して、所定の暗証情報を入力可能にしている。
【００２４】
このうち、リセットボタン１８は最上位置の暗証ボタン１９の直上に配置され、その押圧操作を介してボタン軸１８ｂに突設した係合突起２５のテ−パ面（図示略）を、後述する記憶解除リンクのテ−パ面に係合して該記憶解除リンクを押し上げ、ブロック本体ないしブロックアセンブリを外側へ移動させ、前記ブロックアセンブリをボタンギヤから離反させるようにしている。
【００２５】
そして、前記ボタンギヤとタ−ミナルギヤとの噛合を解除し、タ−ミナルギヤとリセットギヤとを回動可能にして、暗証番号の設定または入力後の第三者の悪戯や、暗証ボタン１９〜２２の押し間違いによる状態をキャンセル可能にしている。
【００２６】
前記暗証ボタン１９〜２２は実質的に同一に構成され、これはボタン軸１９ｂ〜２２ｂと、各ボタンギヤ２６とセットスプリング２７とからなり、ボタン軸１９ｂ〜２２ｂを前記ケ−ス２３の外側、つまりドアハンドル６の後方に突出し、該ケース２３の内部にボタンギヤ２６を収容している。
前記ボタン軸１９ｂ〜２２ｂは管状に形成され、その基部外周面に複数の掛止爪２８が設けられ、該掛止爪２８，２８の間に、ボタン挿入孔の内面に設けたガイドリブ２９を係脱可能に挿入している。
この場合、ボタン軸１９ｂ〜２２ｂを暗証ボタン１９〜２２の偏心位置に形成する代わりに、中央部に配置しても良く、そのようにすることで暗証ボタン１９〜２２を正確かつ円滑に操作し得る。            
【００２７】
前記ボタン軸部１９ｂ〜２２ｂの端部に鋸歯状の係合爪３０が設けられ、また前記ボタンギヤ２６の一側に同様な鋸歯状の係合爪３１が設けられ、これらの係合爪３０，３１が噛合可能に配置されている。
前記セットスプリング２７は、カバー２４とボタンギヤ２６との間に介挿され、その弾性を介してボタンギヤ２６とボタン軸１９ｂ〜２２ｂとを外側へ付勢している。
【００２８】
そして、前記暗証ボタン１９〜２２の押圧操作を介して、ボタンギヤ２６を一定方向へ所定角度回動し、その回動力と回動変位を、これと噛合するターミナルギヤ３２へ伝達可能にしている。
実施形態では暗証ボタン１９〜２２を１回所定変位押圧することで、ボタンギヤ２６を４５°回動させ、その回動力と回動変位を、これと噛合するターミナルギヤ３２へ伝達可能にしている。
前記ターミナルギヤ３２はブロック本体３３に回動可能に収容され、該ギヤ３２に円筒状のクラッチシャフト３４が回動自在に挿入されている。
【００２９】
前記ブロック本体３３は、亜鉛若しくはアルミ合金ダイカストによって異形の厚板状に成形され、その一側面に前記ターミナルギヤ３２を収容する凹孔３５と、前記ターミナルギヤ３２と噛合するリセットギヤ３６を収容可能な凹孔３７とが連通して形成され、その他側面に前記凹孔３５に連する凹孔３８が形成されている。
【００３０】
図中、３９はブロック本体３３の一側面に形成したネジ孔で、該ネジ孔３８にビス４０をねじ込んで、カバープレート４１を取り付けている。
４２はブロック本体３３の一端に形成したフック部、４３はブロック本体３３の他側面に形成した凹孔状のバネ受で、シフトスプリング４４を収容可能にしており、４５は前記凹孔３５の底部に突設したスリワリで、捩りバネであるリセットバネ４６の一端を掛け止め、該バネ４６に形成される弾性によって、リセットギヤ３６を原位置へ復帰回動可能に付勢している。
【００３１】
前記クラッチシャフト３４の一端にネジ孔４７が形成され、該ネジ孔４７に情報変更子であるビス４８がねじ込まれている。前記ビス４８の頭部４８ａとカバープレート４１との間に、バネ４９と座金５０が介挿され、該バネ４９の弾性によって、クラッチシャフト３４を上方へ付勢し、係合軸部５１と後述する係合穴とを係脱可能にしている。
前記クラッチシャフト３４の他端に、略菱形の前記係合軸部５１と円板状の掛止板５２が設けられ、該掛止板５２の端面に略平板状のカム軸５３を突設している。
【００３２】
前記ターミナルギヤ３２の内側に係合孔５４が形成され、該係合孔５４の内面に複数、実施形態では８個の係合歯（図示略）が形成され、該係合歯に前記係合軸部５１が係脱可能に収容されている。
すなわち、前記係合軸部５１は、前記バネ４９の弾性によって係合孔５４と係合可能に付勢され、ボタン錠１７の暗証番号の設定ないしは入力時、操作具５５を介してビス頭部４７ａが押圧された際、係合孔５４との係合を解除可能にされている。  
【００３３】
図中、５６は暗証ボタン１９〜２２に形成された操作孔、５７はビス頭部４８ａ直上のケ−ス２３の対応位置に形成された通孔で、これらに前記操作具５５を挿入可能にしている。
この場合、操作孔５６を暗証ボタン１９〜２２に形成する代わりに、暗証ボタン１９〜２２の近接位置に形成することも可能である。
【００３４】
前記カム軸５３は制御カム５８の通孔５９に挿入され、前記カム５８をクラッチシャフト３４と同動可能にしている。
前記制御カム５８は前記凹孔３８に回動可能に収容され、これは合成樹脂によって略円板状に成形され、その内側周面に切欠溝６０を形成し、該切欠溝６０に制御板６１の係合爪６２を係脱可能に配置している。
【００３５】
前記制御板６１は鋼板をプレス成形して略細長矩形に形成され、その一側端部を錠ケース２３の側壁内面の段部（図示略）に係合し、この係合部を支点に板厚方向へ揺動可能に配置している。  
前記制御板６１の基端部、つまり係合爪６２と反対側と、錠ケ−ス２３内面との間にセットスプリング６３が介挿され、該スプリング６３の弾性を介して、前記係合爪６２を切欠溝６０側へ係合可能に付勢している。
【００３６】
前記制御板６１の他側端部に、前記暗証ボタン１９〜２２と同数の円弧状凹部６４が形成され、該凹部６４をボタン受６５に係合可能に配置している。
図中、６６は前記凹孔３８の周壁を切り欠いた切溝で、該溝６６に前記係合爪６２が挿入され、該係合爪６２の先端部を掛止板５２に係合可能に配置している。
【００３７】
前記制御板６１の一端部に、バネ６７を介して鋼板製のロックプレート６８が揺動自在に連結され、該プレート６８の先端部に円弧状凹部６９が形成されている。
前記円弧状凹部６９は駆動カム７０のボス７１に係合可能に配置され、かつその張出部７２を駆動カム７０に取り付けたビス７３に係合して、該駆動カム７０の回動を阻止し、ボタン錠１７を実質的に施錠可能にしている。
【００３８】
図中、７４はリセットギヤ３６に設けたストッパで、当該部でターミナルギヤ３２との噛合を不能し、それらの回動を阻止可能にしている。７５はブロック本体３３の他側面の両端部に斜状に形成したガイド溝で、該溝７５に記憶解除リンク７６に突設したピン７７が係入している。
【００３９】
前記記憶解除リンク７６は、錠ケース２３の長さ方向に移動可能に収容され、これはアルミ合金若しくは亜鉛合金ダイカストによって略コ字形状に形成され、その両端部に係合ア−ム７８，７９を突設している。
このうち、係合アーム７８が駆動カム７０のカムエンド８０に係合可能に配置され、該アーム７８の張出部７８ａが前記ロックプレート６８に係合可能に配置されている。
【００４０】
また、他方の係合アーム７９と錠ケース２３の内壁との間に、セットスプリング８１が介挿され、該スプリング８１の弾性を介して、前記記憶解除リンク７６を図７上下方へ付勢している。
図中、８２，８３はカバープレート４１に形成した通孔で、通孔８３にバネケース８４が取り付けられている。
【００４１】
前記駆動カム７０は、錠ケース２３内の一側に設けたカム穴８５に回動可能に収容され、該カム７０の他側に設けた軸筒部８６を、カバー２４に設けた凹孔８７に回動可能に収容している。
図中、８８は駆動カム７０と錠ケース２３との間に介挿したカムスプリングで、駆動カム７０を原位置へ復帰回動可能に付勢している。
【００４２】
前記駆動カム７０のボス７１の内部に、ピニオン８９が駆動カム７０と同動可能に取り付けられ、該ピニオン８９にラック９０が噛合可能に配置されている。
前記ラック９０は連結板９１の上端部に上下方向に配置され、該連結板９１の下端部に可動板９２に突設した係止片９３が掛け止められ、後述する操作レバ−によって下方へ移動可能にされている。
【００４３】
すなわち、前記ラック９０はボタン錠１７の施錠時は移動不可能にされ、ボタン錠１７の解錠時に暗証ボタン１９〜２２を操作し、所定の暗証番号を入力されて駆動カム７０がロックプレ−ト６８のロック作動から解除された際、移動可能にされている。
【００４４】
前記可動板９２は、把持部６ａの後部内に上下方向に摺動可能に取り付けられ、その上部に操作レバ−９４が後方に斜め上向きに突設され、該操作レバ−９４に手指を掛け止め可能にしている。
図中、９５は操作レバ９４の上部に取り付けたゴム板、１１５は握持部６ａの背部に形成した開口窓で、操作レバ−９４の上下動を規制可能にしている。
【００４５】
前記可動板９２の下端部は後方へ屈曲され、該屈曲部９２ａと下側の取付脚８との間にスプリング９６が介挿され、該スプリング９６の弾性を介して、可動板９２を上方へ移動可能に付勢している。図中、９７は前記取付脚８に突設したストッパで、前記スプリング９６の内側に配置されている。
前記可動板９２の下端部にプレ−トカバ−９８，９９が上下に連結され、これらがスプリング１００の弾性を介して上方へ移動可能に付勢され、これを可動板９２へ伝達可能にしている。
【００４６】
前記プレ−トカバ−９９の下部に前記角芯棒１３の一端部が配置され、該角芯棒１３の先端部に第１ベベルギヤ１０１と回動カム１０２が同動可能に取り付けられている。
前記回動カム１０２の直径方向位置に偏心ピン１０３が外側に突設され、該偏心ピン１０３に前記プレ−トカバ−９９の下端部が係合可能に配置されている。
そして、ボタン錠１７の解錠時、プレ−トカバ−９９の下端部を偏心ピン１０３に係合させ、回動カム１０２を回動させて同軸上の角芯棒１３を回動し、デットボルト３をトロヨケ（図示略）から後退させて、開扉可能にしている。
【００４７】
図中、１０５は取付脚８の下端部に取り付けたシリンダ−錠で、その内筒の軸端部に第２ベベルギヤ１０６が取り付けられ、該第２ベベルギヤ１０６と第１ベベルギヤ１０１との間に、中間ベベルギヤ１０７を噛合させている。
前記シリンダ−錠１０５は、例えばボタン錠１７の故障時にキ−（図示略）を挿入し、これを解錠操作して、第２ベベルギヤ１０６と中間ベベルギヤ１０７、第１ベベルギヤ１０１を介して角芯棒１３を回動し、デットボルト３をトロヨケ（図示略）から後退させて開扉可能にしている。
【００４８】
この他、図中１０８は錠ケース２３の底部に摺動可能に取り付けた細長の防護板で、その一側に前記操作孔５６，５７に連通可能な複数の透孔１０９が形成されている。
前記防護板１０８の両端部に屈曲片１１０と係合片１１１とが設けられ、前記屈曲片１１０と錠ケース２３内の張出壁１１２との間にバネ１１３が介挿され、該バネ１１３の弾性を介して、防護板１０８を駆動カム７０側へ付勢している。
【００４９】
前記係合片１１１は、錠ケース２３内面と駆動カム７０の係合段部１１４との間に係合可能に挿入され、ボタン錠１７の施錠時、操作具５５を操作孔５６，５７に差し込み、シリンダ−錠１０５のキ−操作で不正に解錠する際、駆動カム７０の回動を阻止して、不正解錠を防止可能にしている。
図中、１１４はカバ−２４に複数形成した通孔で、前記カム軸５３を係入可能にしており、１１５は把持部６内の可動板９２の上端部に設けた空隙である。
【００５０】
このように構成した施錠装置は、ドアハンドル６の握持部６ａにキ−レス錠であるメカロック錠のボタン錠１７を埋設し、その操作機構を構成するリセットボタン１８と暗証ボタン１９〜２２を握持部６ａの裏面に配置したから、従来のようにドア１の表面にボタン錠１７が表出する煩雑な印象を除去し、ドア１およびドアハンドル６の正面の外観が簡潔になる。
しかも、本発明は実質的な開扉操作に供する、操作機構を構成する操作レバ−９４を、ドアハンドル６の背後に配置して隠蔽したから、従来のようにドア１の表面またはボタン錠１７の表面にレバ−ドアハンドルやドアハンドルが表出する煩雑な印象を除去し、前記ドア１およびドアハンドル６の外観の簡潔化を増進する。
【００５１】
そして、ドア１の表面からボタン錠１７の表出をなくし、またボタン錠１７の表面からレバ−ハンドルやドアハンドルの表出をなくすことによって、賊によるボタン錠１７やレバ−ドアハンドルやドアハンドルの攻撃対象を隠蔽し、その攻撃や悪戯を未然に防止して実質的な防御能力の向上を図れる。
【００５２】
更に、後述のようにボタン錠１７の解錠操作は、ドアハンドル６を握持する通常操作で行なえ、手指による実質的な解錠操作は、操作者とドアハンドル６によって隠蔽され、看者の視野から消えるから、解錠操作や解錠意思を察知されず、しかも解錠時における暗証番号の予測や考察を排除し得て、暗証番号の盗用や不正解錠を確実かつ強力に阻止し得る
【００５３】
また、前記ボタン錠１７は、各暗証ボタン１９〜２２の押圧操作によって、８種類の暗証番号を設定および入力し得るから、それだけ暗証ボタンの数を減少でき、その分構成が簡潔になって、ボタン錠１７の小形軽量化を図れる。それゆえ、ボタン錠１７を小スペ−スのドアハンドル１６へ組み込めることとなる。
【００５４】
このような施錠装置を構成するボタン錠１７は、例えば図１および図４のように玄関側のドア１の外側に設けたドアハンドル６の内部に埋め込まれ、前記ボタン錠１７に使用者毎に特定の暗証番号が入力設定され、また非常用のシリンダー錠１０５に特定の鍵が使用される。
【００５５】
このうち、前記暗証番号は実施形態の場合、４個の暗証ボタン１９〜２２によって最大４桁の番号が設定され、各暗証ボタン１９〜２２は後述のように８通りの番号を設定し得るから、８の４乗、つまり４０９６通りの暗証番号を設定し得る。
【００５６】
次に、前記ボタン錠１７に暗証番号を入力設定する場合は、例えばドア１を閉鎖した状態で、ドア１の外側から入力設定する。
すなわち、同軸位置の所定の操作孔５６，５７に操作具５５を挿入し、クラッチシャフト３４をバネ４９の弾性に抗して押し下げ、係合爪５２と係合穴５４との係合を解除する
この状況は図１５および図１６のようで、ターミナルギヤ３２がクラッチシャフト３４に回転自在に支持され、ターミナルギヤ３２がボタンギヤ２６とリセットギヤ３６に噛合する。
【００５７】
このような状況の下で図１７のように、対応する暗証ボタン１９〜２２をセットスプリング２７の弾性に抗して押し下げ、これにボタンギヤ２６を同動させた後、ボタンギヤ２６から手を離す。
このようにすると、ボタンギヤ２６がセットスプリング２７の弾性によって同図上上方へ押し戻され、かつその際、前記ギヤ２６に突設した係合爪３１がガイドリブ２９の内側端部に係合して、ヘリカル回動する。
【００５８】
このため、前記係合爪３１がガイドリブ２９の１ピッチ分、つまり４５°回動し、そのトルクをボタンギヤ２６と噛合するターミナルギヤ３２へ伝達し、更にそのトルクを噛合するリセットギヤ３６へ伝達する。
この結果、リセットギヤ３６が回動し、内部に掛け止めたリセットバネ４６を捩り込み、その蓄積した弾性をターミナルギヤ３２へ作用して、該ギヤ３２を原位置へ復帰可能に付勢する。
【００５９】
この場合、暗証ボタン１９〜２２を２回押圧すると、ボタンギヤ２６がガイドリブ２９の２ピッチ分、つまり９０°回動し、暗証ボタン１９〜２２を３回押圧すると、ボタンギヤ２６が１３５°回動する。
したがって、例えば暗証番号が４桁の「２３４５」の場合は、最上位置の暗証ボタン１９を２回押圧し、その直下位置の暗証ボタン２０を３回押圧し、暗証ボタン２１を４回押圧し、最下位置の暗証ボタン２２を５回押圧する。
【００６０】
こうして各暗証ボタン１９〜２２の暗証番号を設定後、操作具５５を操作孔５６，５７から引き抜き、クラッチシャフト３４の原状を回復させて係合軸部５１を係合穴５４に係合する。
この後、ドアハンドル６の握持部６ａを握持し、握持部６ａの最上位置のリセットボタン１８に手指を置いて、該ボタン１８を押圧しリセット操作する。
【００６１】
このようにすると、リセットボタン１８のボタン軸１８ｂに突設した係合突起２５のテ−パ面（図示略）が、軸部１８ｂに突設した記憶解除リンク７６の係合ア−ム７９と係合し、前記リンク７６をセットスプリング８１の弾性に抗して押し上げ、ピン７７と係合下のブロック本体３３を、シフトスプリング４４の弾性に抗して図１４上左方へ引き寄せる
【００６２】
この結果、ブロック本体３３がボタンギヤ３６から離反し、該ボタンギヤ２６とターミナルギヤ３２との噛合が解除され、また制御板６１の各係合爪６２が、ブロック本体３３の切溝６６から引き抜かれる。
【００６３】
このようにすることで、ターミナルギヤ３２とリセットギヤ３６が回動可能になり、該リセットギヤ３６がリセットバネ４６の弾性によって復帰回動し、つまり暗証ボタン１９〜２２の押圧操作時と反対方向へ回動し、該ギヤ３６と噛合するターミナルギヤ３２を、暗証ボタン１９〜２２の押圧操作時と同方向へ回動させる。
【００６４】
前記ターミナルギヤ３２の回動変位は、リセットバネ４６に形成された前記弾性に比例し、その回動変位が係合穴５４に係合する係合軸部５１を介して、カム軸５３に形成される。
このため、カム軸５３がターミナルギヤ３２と同期回動し、カム軸５３に嵌合した制御カム５８がこれに同動して切欠溝６０の位置が形成される。
すなわち、各切欠溝６０の位置が、リセットバネ４６の弾性ないし暗証入力情報に基いて設定される。
【００６５】
このような暗証番号設定時は、各切欠溝６０の位置が記憶情報「０」の位置、つまり係合爪６２と係合可能な位置から係合不可能な位置へ移動し、各係合爪６２がセットスプリング６３の弾性に抗して切欠溝６０から引き出され、掛止板５２と制御カム５８との間に位置する。
【００６６】
したがって、ロックプレート６８の一端がロックスプリング６７の弾性によって、制御板６１の厚さ方向に引き寄せられ、該板６１に重合するとともに、この他端の張出部７２が吊元位置設定用のビス７３に係合し、その移動を拘束される。このため、駆動カム７０の回動が阻止され、ボタン錠１７が実質的に施錠される。  
【００６７】
この結果、駆動カム７０と同動可能なピニオン８９の回動が阻止され、該ピニオン８９に噛合するラック９０の移動が阻止され、該ラック９０を固定した連結板９１の移動が阻止される。
したがって、この状態で操作レバ−９４を押し下げ、これに可動板９２を同動させて、係止片９３を介し連結板９１を引き下げ、また可動板９２の下端部を偏心ピン１０３に当接させて回動カム１０２を押し回し、これに角芯棒１３を同動させて錠前２を解錠する、ことはできない。
すなわち、ボタン錠１７の施錠時は、操作レバ−９４を操作しても、錠前２が施錠状態を維持し、ドア１を開放することができない。
【００６８】
この場合、操作レバ−９４と可動板９２との間にラチェットボ−ル（図示略）を介在させ、可動板９２に対し操作レバ−９４を揺動可能に連結し、操作レバ−９４に作用した過負荷を吸収させて、操作レバ−９４の破損を未然に防止することが望ましい。
【００６９】
このようなボタン錠１７を室外側から解錠する場合は、ドアハンドル６の握持部６ａを握持し、その手指を各暗証ボタン１９〜２２上に載せて押圧し、前記設定した暗証番号「２３４５」を入力する。
すなわち、最上位置の暗証ボタン１９を２回押圧し、その直下の暗証ボタン２０を３回押圧し、次の暗証ボタン２１を４回押圧し、最下位置の暗証ボタン２２を５回押圧する。
【００７０】
このようにすると、各暗証ボタン１９〜２２のボタンギヤ２６が前記押圧回数に４５°を乗じた角度、つまり９０°、１３５°、１８０°、２２５°回動し、各ボタンギヤ２６と噛合するターミナルギヤ３２が、前記ボタンギヤ２６と反対方向へ回動する。
【００７１】
この場合、前記ターミナルギヤ３２の回動方向は、前記暗証番号設定時におけるリセット操作時の回動方向と反対で、その回動角度はそれぞれ同一であるから、各ターミナルギヤ３２は暗証番号設定時と反対方向へ回動し、暗証番号設定時の回動角度を相殺して、当該暗証情報を解消する。
【００７２】
すなわち、全てのターミナルギヤ３２が回動角度「零」の状態に置かれ、同動する各制御カム５８ないし切欠溝４５が同様な暗証番号「０」の状態を形成し、各切欠溝４５が制御板６１の係合爪６２と係合可能になる。
【００７３】
このため、各係合爪６２がセットスプリング６３の弾性によって各切欠溝６０に係入し、制御板６１がカバー２４側へ斜めに押し倒され、これにロックプレート６８が追随して、該プレート６８の張出部７２がドア吊元位置設定用のビス７３から離間し、駆動カム７０が回動可能になる。すなわち、ボタン錠１７が実質的に解錠される。
【００７４】
そこで、この後、操作レバ−９４をスプリング９６，１００の弾性に抗して押し下げると、これに可動板９２が押し下げられ、係止片９３を介して連結板９１が引き下がり、これにラック９０が同動してピニオン８９を引き回わす。
【００７５】
前記可動板９２が押し下がると、その下端部が偏心ピン１０３に当接して回動カム１０２を押し回し、これに角心棒１３が同動して錠前２内のラッチカム（図示略）が回動し、デットボルト３がトロヨケ（図示略）から引き抜かれて錠前２が解錠される。
したがって、この後、ドア１を外側へ引けば開扉可能になる。この状況は図６および図９のようである。
【００７６】
この場合、駆動カム７０が図６のように回動すると、その回動前にカムエンド８０に係合していた係合アーム７８ａを介して、記憶解除リンク７６がセットスプリング８１の弾性に抗して押し上げられ、かつその際、ピン７７がガイド溝７５に導かれて図１４上左方へ移動する。
このため、ブロック本体３３がボタンギヤ２６から離反し、ターミナルギヤ３２とボタンギヤ２６の噛合が解除され、制御板６１の各係合爪６２がブロック本体３３の切溝６６から引き抜かれ、前述のリセット動作と同様な状態が形成される。
【００７７】
しかしながら、ターミナルギヤ３２とボタンギヤ２６の噛合が解除されても、セットスプリング６３は僅かな弾性を有するだけで、前記ギヤ３２，２６を回動し得ないから、該ギヤ３２，２６は回動しない。  
したがって、ボタン錠１７は当初設定の暗証番号を維持し、その後のドア１の開操作ないし解錠作動に支障を来たさない。
【００７８】
このように、ボタン錠１７の解錠操作は、ドアハンドル６を握持する通常操作で行なえ、手指による実質的な解錠操作は、操作者とドアハンドル６によって隠蔽され、看者の視野から消えるから、解錠操作や解錠意思を察知されず、しかも解錠時における暗証番号の予測や考察を排除し得て、暗証番号の盗用や不正解錠を確実かつ強力に阻止し得る。
【００７９】
また、操作レバ−９４がドアハンドル６の握持部６ａの背後で、かつ暗証ボタン１９〜２２の直下に位置しているから、解錠時の暗証ボタン１９〜２２の押圧操作後、手指を容易かつ速やかに操作レバ−９４に載せて押し下げられ、錠前２の解錠を容易に行なえる。
【００８０】
前記開扉後、操作レバ−９４を手放すと、スプリング９６，１００の弾性によって可動板９２が押し上げられ、偏心ピン１０３が可動板９２の下端部による係合から解放されて、角芯棒１３がラッチカム（図示略）の復元力によって復帰回動し、デットボルト３がドア１の外側に突出する。
また、前述のように可動板９２が押し戻されると、これに操作レバ−９４と連結板９１が同動し、操作レバ−９４が原位置に復帰するとともに、ラック９０が上動してピニオン８９を図６上反時計方向へ押し回わす。
【００８１】
このため、駆動カム７０がピニオン８９と同方向へ回動し、駆動カム５５が原位置に復帰するとともに、記憶解除リンク７６がセットスプリング８１の弾性によって押し戻され、ピン７７がガイド溝７５に導かれてブロック本体３３がボタンギヤ２６に接近する。
そして、ターミナルギヤ３２とボタンギヤ２６の噛合が回復され、制御板６１の各係合爪６２がブロック本体３３の切溝６６に係入して、暗証番号入力時の状態が復旧する。
【００８２】
次に、前記開扉後、ボタン錠１７が暗証番号入力時を維持する状況の下で、ドア１を外側から施錠する場合は、ドアハンドル６を握持してドア１を閉鎖し、ラッチトリガ５を後退させて錠前２を作動させ、デットボルト３をトロヨケ（図示略）へ突出させれば良い。
【００８３】
こうしてドア１を閉鎖すると、図５および図１４のようにロックプレ−ト６８の張出部７２が駆動カム７０に取り付けたビス７３に係合し、駆動カム７０の回動を阻止するから、ボタン錠１７が実質的に施錠可能になる。
【００８４】
なお、ボタン錠１７の施錠時にドア１を内側から開ける場合は、レバ−ドアハンドル１４を回動操作し、これに連係する角芯棒１３を同動させて、錠前２のラッチカム（図示略）を作動し、デットボルト３をトロヨケ（図示略）から後退させれば、錠前２が解錠されてドア１が開放可能になる。
この場合、偏心ピン１０３の回動による可動板９２の上動変位は、把持部６内の可動板９２の上端部に設けた空隙１１５によって吸収される。
【００８５】
また、ボタン錠１７の故障時にドア１を外側から開放する場合は、キ−（図示略）をシンリダ−錠１０５の鍵穴に差し込にで回動し、これに内筒を同動させて第２ベベルギヤ１０６を回動し、その回動変位を中間ベベルギヤ１０７から第１ベベルギヤ１０１に伝え、これに角芯棒１３を同動させて、錠前２のラッチカム（図示略）を作動し、デットボルト３をトロヨケ（図示略）から後退させれば、錠前２が解錠され、ドア１が開放可能になる
【００８６】
図１８は本発明の他の実施形態を示し、前述の実施形態と対応する構成部分に同一の符
号を用いている。
この実施形態は、ボタン錠１７を省略し、代わりに錠前２を、ラッチカム（図示略）をモ−タで駆動させてデットボルト３を出没させる電気錠とし、ドアハンドル６の握持部６ａの裏面に、操作機構を構成するモ−タ始動用のスイッチであるスイッチボタン１１６を突設し、これを手指で押圧しＯＮ操作可能に配置するとともに、握持部６ａの内部にモ−タの駆動回路と電源および制御装置を内蔵した制御箱１１７を設けている。
【００８７】
そして、前記モ−タをＯＮ・ＯＦＦさせ、ラッチカム（図示略）を回動制御することによって、デットボルト３を出没させて、ドア１を開閉するようにしている。
前記ラッチカム（図示略）は、常時は内部に設けたスプリング（図示略）によって、デットボルト３をトロヨケに突出させて錠前２を施錠し、ドア１を外側から開ける場合は、ドアハンドル６の握持部６ａを握持し、スイッチボタン１１６を手指で押圧してＯＮ操作し、モ−タを始動してラッチカムをスプリングに抗して引き込ませ、デットボルト３をトロヨケから引き抜いて、錠前２を解錠させる。
【００８８】
前記解錠時は、ドアハンドル６の握持部６ａを通常通り握持し、スイッチボタン１１６を手指で押圧するから、手指による実質的な解錠操作は、操作者とドアハンドル６によって隠蔽され、看者の視野から消えて解錠操作や解錠意思を察知されない。
この場合、スイッチボタン１１６を握持部６ａの裏面に突出する代わりに、タッチセンサのように前記裏面と同一面上に形成すれば、スイッチボタン１１６の存在や解錠操作ないし解錠意思を全く察知されず、しかもそれらの攻撃を免れて防御能力が一段と向上する
【００８９】
一方、前記他の実施形態の別の形態として、生体情報の検出によって電気錠２を解錠させることも可能である。
すなわち、この場合は握持部６ａの裏面に、指紋や掌紋、掌の静脈パタ−ン等の生体情報を検出可能な操作機構を構成するバイオメトリクスセンサを前記裏面と同一面上に設け、握持部６ａの内部に、生体情報の登録情報と、演算器を含むマイクロコンピュ−タを内蔵した照合装置や電源回路を装備する。
【００９０】
そして、ドア１を外側から開ける場合は、ドアハンドル６の握持部６ａを握持し、かつその際、手指または掌をバイオメトリクスセンサに接触し、指紋や掌紋、掌の静脈パタ−ン等の生体情報を読み取り、かつこの情報を照合装置に入力して登録情報と照合し、それらの一致を判定したところで、その判定信号をモ−タに出力して該モ−タを始動し、ラッチカムをスプリングに抗して引き込み作動させ、デットボルト３をトロヨケから引き抜いて錠前２を解錠する。
【００９１】
前記解錠時は、ドアハンドル６の握持部６ａを通常通り握持し、バイオメトリクスセンサによって生体情報を検出し、これを照合装置で登録情報と照合し、それらの一致を判定した際に電気錠を解錠させるから、照合操作が操作者とドアハンドル６によって隠蔽され、看者の視野から消える。
したがって、従来のように人前で照合操作や解錠操作を行う不具合を解消し、解錠意思を察知されずに済むとともに、バイオメトリクスセンサや照合装置がドアハンドル６によって隠蔽されるから、それらの攻撃を未然に防止し、その防御能力が向上する。
【００９２】
なお、前述の実施形態では本発明を建物の開閉部材であるドア１の施解錠に適用しているが、自動車等の車両用ドアの施解錠に適用しても良く、またファイリングキャビネットや抽斗等のドアハンドルや把手に適用することも可能である。
【産業上の利用可能性】
【００９３】
このように本発明の施錠装置は、暗証ボタンやバイオメトリクスセンサをドアハンドルや把手の裏面側に配置して看者の視野から消し去り、解錠操作や解錠意思を察知されず、しかも解錠時における暗証番号の予測や考察を排除して、暗証番号の盗用や不正解錠を確実かつ強力に阻止するとともに、賊による攻撃対象を隠蔽して防御能力を向上し得るから、例えばドアや抽斗、ファイリングキャビネット等のドアハンドルないし把手の実施に好適である。
【図面の簡単な説明】
【００９４】
【図１】本発明を建物用ドアのドアハンドルの背部に適用した実施形態を示す正面図である。
【図２】図１の斜視図である。
【図３】本発明に適用したドアハンドルの背部を示す斜視図である。
【００９５】
【図４】図３のＡ−Ａ線に沿う断面図で、拡大して示している。
【図５】本発明に適用したドアハンドルの正面図で、化粧カバ−を取り外して施錠時の状況を示している。
【図６】本発明に適用したドアハンドルの正面図で、化粧カバ−を取り外して解錠時の状況を示している。
【００９６】
【図７】図５のＢ−Ｂ線に沿う断面図で、拡大して示している。
【図８】図５のＣ−Ｃ線に沿う断面図で、拡大して示している。
【図９】図６のＤ−Ｄ線に沿う断面図で、拡大して示している。
【図１０】本発明に適用したボタン錠を拡大して示す斜視図である。
【００９７】
【図１１】本発明に適用したボタン錠の内部構造の要部を分解して示す斜視図で、錠ケースと暗証ボタン、ボタンギヤ、駆動カムおよびブロック本体等を示している。
【図１２】本発明に適用したボタン錠の内部構造の要部を分解して示す斜視図で、ブロック本体とタ−ミナルギヤ、リセットギヤ、カバープレート等を示している。
【図１３】本発明に適用したボタン錠の内部構造の要部を分解して示す斜視図で、ブロック本体とプレ−トカバ−、記憶解除リンク、制御板等を示している。
【００９８】
【図１４】本発明に適用したボタン錠の内部構造を示す正面図で、錠ケースとブロック本体と、記憶解除リンクと制御板の組み付け状況を示している。
【図１５】本発明に適用したボタン錠の暗証番号設定前の状況を拡大して示す断面図である。
【図１６】本発明に適用したボタン錠の暗証番号設定途中の状況を拡大して示す断面図で、操作具を挿入し、クラッチシャフトを押し下げ、暗証ボタンを押圧する前の状況を示している
【図１７】本発明に適用したボタン錠の暗証番号設定途中の状況を拡大して示す断面図で、操作具を挿入し、クラッチシャフトを押し下げ、暗証ボタンを押圧している状況を示している。
【図１８】本発明の他の実施形態の要部を示す断面図で、電気錠の解錠時の状況を示している。
【符号の説明】
【００９９】
２                      錠前（電気錠）
６                      ドアハンドル
１３                    角芯棒
１７                    キ−レス錠（ボタン錠）
【０１００】
１８〜２２              暗証ボタン
９２                    可動板
９４                    操作レバ−
１１６                  スイッチ（スイッチボタン）
【図１】
0004703663.tif 000002
【図２】
0004703663.tif 000003
【図３】
0004703663.tif 000004
【図４】
0004703663.tif 000005
【図５】
0004703663.tif 000006
【図６】
0004703663.tif 000007
【図７】
0004703663.tif 000008
【図８】
0004703663.tif 000009
【図９】
0004703663.tif 000010
【図１０】
0004703663.tif 000011
【図１１】
0004703663.tif 000012
【図１２】
0004703663.tif 000013
【図１３】
0004703663.tif 000014
【図１４】
0004703663.tif 000015
【図１５】
0004703663.tif 000016
【図１６】
0004703663.tif 000017
【図１７】
0004703663.tif 000018
【図１８】
0004703663.tif 000019